(57)【要約】【課題】表示部において閉空間の発生を抑制できる製造方法を提供することにより、表示品位が良好で信頼性の向上した表示パネルを提供する。【解決手段】マザー基板上に複数の発光部を形成し、複数の該表示部を覆うように接着層を介してマザー封止板を接着した積層体を構成し、該積層体を表示部毎に分離して複数の表示パネルを得る製造方法において、する発光部の間に位置する前記マザー基板あるいはマザー封止板の所望の領域に孔を設け、前記マザー基板とマザー封止板とを接着する工程において、両板間の気体を上記孔から外部に排気することによって、表示パネルを製造する。【選択図】          図３
2006286412.tif 000002
【特許請求の範囲】
【請求項１】
マザー基板上に複数の発光部を形成し、複数の該発光部を覆うように接着層を介してマザー封止板を接着した積層体を構成し、該積層体を発光部毎に分離して複数の発光パネルを得る製造方法において、隣接する発光部の間に位置する前記マザー基板あるいはマザー封止板の所望の領域に孔を設け、前記マザー基板とマザー封止板とを接着して積層体を作製する積層体作製工程において、両板間の気体を上記孔から外部に排気することを特徴とする発光パネルの製造方法。
【請求項２】
マザー基板上に複数の表示部を形成し、複数の該表示部を覆うように接着層を介してマザー封止板を接着した積層体を構成し、該積層体を表示部毎に分離して複数の表示パネルを得る製造方法において、隣接する表示部の間に位置する前記マザー基板あるいはマザー封止板の所望の領域に孔を設け、前記マザー基板とマザー封止板とを接着して積層体を作製する積層体作製工程において、両板間の気体を上記孔から外部に排気することを特徴とする表示パネルの製造方法。
【請求項３】
前記表示部は有機エレクトロルミネッセンス素子からなることを特徴とする請求項２に記載の表示パネルの製造方法。
【請求項４】
前記マザー基板又は前記マザー封止板に設けられる孔の位置は、前記発光パネル又は表示パネル以外の領域であって、かつ、前記接着層が塗布されない領域に予め設けられることを特徴とする請求項１乃至請求項３に記載の発光パネル又は表示パネルの製造方法。
【請求項５】
前記孔は、前記積層体を構成した状態で、マザー基板とマザー封止板の間に接着層が存在しない前記マザー基板又は前記マザー封止板領域に予め設けられることを特徴とする請求項１乃至請求項３に記載のパネルの製造方法。
【請求項６】
マザー基板上に複数の有機エレクトロルミネッセンス素子からなる表示部を形成する表示部形成工程と、前記表示部を封止するためのマザー封止板の所定の位置に孔を開ける開孔工程と、前記マザー基板の表面に前記表示部を覆うように接着剤を塗布する接着剤塗布工程と、前記マザー基板表面の前記接着剤が塗布されていない領域に、前記マザー封止板に設けられた孔の位置が対向するように、前記マザー基板と前記マザー封止板とを位置決めする位置決め工程と、前記接着剤からなる接着層を前記マザー基板と前記マザー封止板との間に広げるとともに、前記マザー基板と前記マザー封止板との間の気体を前記孔から外部に排気して前記表示部を封止した積層体を作製する積層体作製工程と、該積層体を表示部毎に分離して複数の表示パネルを得る分離工程とを備えることを特徴とする有機エレクトロルミネッセンス表示パネルの製造方法。
【請求項７】
マザー基板上に複数の有機エレクトロルミネッセンス素子からなる表示部と表示部毎に信号を供給するために表示部に近接して配置された端子部とを併設する工程と、前記表示部と前記端子部との間に隔壁を形成する隔壁形成工程と、前記表示部を封止するためのマザー封止板の所定の位置に孔を開ける開孔工程と、前記表示部上に接着剤を塗布する接着剤塗布工程と、前記マザー基板表面の前記接着剤が塗布されていない領域に、前記マザー封止板に設けられた前記孔の位置が対向するように、前記マザー基板上に前記接着剤を介して前記マザー封止板を積層することによって、前記接着剤を両板間に広げる積層体作製工程と、該積層体を表示部毎に分離して複数の表示パネルを得る分離工程とを備え、前記積層体作製工程において、前記隔壁は前記接着剤が前記端子部に至ることを阻止し、前記マザー基板と前記マザー封止板との間の気体を前記孔から外部に排気することを特徴とする表示パネルの製造方法。
【請求項８】
前記積層体作製工程を大気圧下で行うことを特徴とする請求項１乃至請求項７に記載のパネルの製造方法。
【発明の詳細な説明】
【技術分野】
【０００１】
本発明は、一組のマザー基板とマザー封止板との間に複数の発光部を封止した積層体を構成した後、各発光部毎に積層体を分割し、該発光部を有する複数の発光パネルを製造する方法、及び、一組のマザー基板とマザー封止板との間に複数の表示部を封止した積層体を構成した後、各表示部毎に積層体を分割し、該表示部を有する複数の発光パネルを製造する方法に関するものである。
【背景技術】
【０００２】
近年、自発光型の発光素子として有機エレクトロルミネッセンス（以下、有機ＥＬと略す）素子が注目され、この有機ＥＬ素子を用いた有機ＥＬディスプレイの開発が進められている。有機ＥＬ素子は、動画表示に適した速い応答速度、低電圧、低消費電力駆動などの特徴を有している為、有機ＥＬディスプレイは次世代の携帯電話や携帯端末（ＰＤＡ）をはじめ、次世代のディスプレイとして期待されている。
【０００３】
有機ＥＬディスプレイは、画像表示の為の複数の有機ＥＬ素子を有する有機ＥＬ表示パネルと、駆動回路や駆動電源等を備えている。
【０００４】
有機ＥＬ素子は水分と接触すると発光特性が劣化するので、水分と接触しないように有機ＥＬ素子を封止して有機ＥＬ表示パネルとする必要がある。このため、有機ＥＬ表示パネルは、有機ＥＬ素子が形成された支持基板と封止用の封止基板とを、封止材を用いて貼り合わせることにより製造される。
【０００５】
ＥＬ素子の封止方法として、従来、基板上に凸状に隆起するように落滴した液状硬化性樹脂により、ＥＬ基板と封止基板とを封止する方法が知られている（特許文献１）。しかしながら、この従来技術では、図９の平面図に示すように、液状硬化性樹脂４２がＥＬ基板４１上で円状に広がり（図９（ａ））、貼り合せ時にこの液状硬化樹脂４２が同心円状に広がるため、樹脂４２と隣接する樹脂４２、４２、４２とで囲まれた空気が逃げ場を失って閉空間４３として残存することになる。（図９（ｂ））。
【０００６】
有機ＥＬ基板と封止基板間の接着層に閉空間が生じると、閉空間部分の屈折率が周囲の接着層の屈折率と異なるため、閉空間部分の色が周囲の色と異なって視認される。このため、有機ＥＬ表示パネルを表示した時にその閉空間形状が人の目に認識され、表示品位が低下する問題がある。さらに、閉空間中に含まれる水分が有機ＥＬ素子中に浸入し発光特性を劣化させるので、有機ＥＬ素子の信頼性が低下する。したがって、良好な表示品質と良好な信頼性を有する有機ＥＬ表示パネルを提供するためには、有機ＥＬ基板と封止基板との間に閉空間を発生させずに、有機ＥＬ素子を封止する必要がある。
【０００７】
このため、特許文献１では、一つの基板上に一直線に沿って液状硬化樹脂４２を落滴することにより、樹脂４２の間に前記空隙４３が生じず、かかる空隙が原因となる閉空間を生じさせずに封止できる方法が記載されている。
【０００８】
一方、有機ＥＬ表示パネルを製造する工程では、生産効率の向上を図るために、多面取りと呼ばれる製造方法が多く採用されている（例えば、特許文献２）。多面取りとは、一つの有機ＥＬ表示パネルのサイズよりも十分に大きく、複数の有機ＥＬ表示部が設けられた一枚のマザー基板と、一つの有機ＥＬ表示パネルのサイズよりも十分に大きい一枚のマザー封止板とを貼り合わせた後に、各々の有機ＥＬ表示部ごとに分割することにより、複数個の有機ＥＬ表示パネルを製造する方法である。
【０００９】
この多面取りにおいて、特許文献１に記載の落滴方法を適用すると、前記一枚のマザー基板上の複数の有機ＥＬ表示部毎に液状硬化樹脂４２を落滴する必要があるため、図９に示すように、広がった液状硬化樹脂４２，４２…が一体化し、液状硬化樹脂４２で囲まれる閉空間に空気が取り残される。このような閉空間が生じると、液状硬化樹脂４２を広げるために加圧しても、閉空間中の空気の逃げ場がなくなり、このような閉空間が、マザー基板とマザー封止板との間の間隔を制限するため、有機ＥＬ表示部において液状硬化樹脂４２を均一に広げることができず、また、両板間の間隔を狭くすることができない。このような閉空間が存在するために、上述したように、有機ＥＬ表示パネルの表示品位が低下するという問題が生じる。また、有機ＥＬ表示部のうち、前記閉空間が存在する部分は液状硬化樹脂４２に被覆されておらず、各々の有機ＥＬ表示部毎に分割した場合、かかる部分が露出して外気にさらされるため、外気中の水分が有機ＥＬ素子中に浸入し発光特性を劣化させるので、有機ＥＬ素子の信頼性が低下するという問題が生じる。
【００１０】
また、上記のような閉空間が生じると、かかる閉空間の高さよりもマザー基板とマザー封止板間の間隔を小さくすることができないため、マザー基板とマザー封止板間の間隔が所定の間隔より大きくなる。発光パネルや表示パネルの製造においては、マザー基板とマザー封止板間の間隔を所定の間隔に設定することにより、取り出される光の色度を調整する場合があるが、このような場合には、上記のような閉空間が生じると、かかる閉空間の高さよりもマザー基板とマザー封止板間の間隔を小さくすることができないため、マザー基板とマザー封止板間の間隔を所定の間隔に設定できず、取り出される光の色度が所望のものとずれてしまい、表示品位が低下してしまうという問題があった。
【００１１】
上記のような、表示品位の低下、信頼性の悪化により、製造歩留まりを低下させるという問題があった。
【００１２】
このように、特許文献１に記載された有機ＥＬ表示パネルの製造方法を多面取りに適用すると、有機ＥＬ表示パネルの表示品位が低く、歩留まりも低下してしまうという問題があった。
【特許文献１】特開２０００−１０５０６号公報
【特許文献２】特開２００１−１２６８６６号公報
【発明の開示】
【発明が解決しようとする課題】
【００１３】
本発明の目的は、表示品位が高い有機ＥＬ表示パネルを作製でき、有機ＥＬ素子の発光特性及び信頼性の低下を抑制し、歩留まりの低下を抑制できる有機ＥＬ表示パネルの製造方法を提供することを目的とする。
【課題を解決するための手段】
【００１４】
本発明の第１の局面は、発光パネルの製造方法であって、マザー基板上に複数の発光部を形成し、複数の該発光部を覆うように接着層を介してマザー封止板を接着した積層体を構成し、該積層体を発光部毎に分離して複数の発光パネルを得る製造方法において、隣接する発光部の間に位置する前記マザー基板あるいはマザー封止板の所望の領域に孔を設け、前記マザー基板とマザー封止板とを接着して積層体を作製する積層体作製工程において、両板間の気体を上記孔から外部に排気することを特徴とする。
【００１５】
本発明は、有機ＥＬに限らず、無機ＥＬ、ＦＥＤ、ＥＣＬ等の自発光素子からなる発光パネルの多面取りに好適な製造方法であり、マザー基板、マザー封止板、接着層に囲まれた空間とつながる孔をマザー基板に形成することにより、前記空間を該孔を介して積層体の外部とつながった開空間とすることができるため、マザー基板、マザー封止板、接着層に囲まれた閉空間が形成されないようにすることができる。これにより、表示品位に優れた発光パネルを形成することができる。また、かかる孔から前記空間内の気体を外部に排気することにより、発光部に閉空間を生じないように接着層を均一に広げることができる。さらに、上記閉空間に生じさせないため、マザー基板とマザー封止板との間を所定の間隔に保持するように発光パネルを製造できる。
【００１６】
また、発光部において閉空間が形成させないように接着剤を均一に広げることができるため、外部からの異物、例えば、水分が発光部内に浸入して発光部を劣化させることを抑制できる。
【００１７】
また、前記孔を設けない場合には、たとえ、塗布量不足とならないように必要充分な量の接着層を塗布したとしても、接着層の塗布量の不均一性やマザー基板の反りなどの歪、あるいは押圧力の局部的むらなどに起因して、マザー基板とマザー封止板との積層体において局部的に閉空間が形成される惧れがある。この場合には、即ち、たとえ１箇所でも閉空間が形成されると、マザー基板とマザー封止板との間隔が閉空間の高さとなり、それ以上に前記間隔を狭くすることができず、発光部上に接着層を均一に広げることができない欠陥発光パネルが多く出来てしまい、製造歩留まりが低下するという問題を生じる。従って、前記孔を設けた本発明の製造方法によれば、このような製造歩留まりが低下するという問題は低減できる。
【００１８】
これにより、歩留まりの低下を抑制しつつ、発光特性及び信頼性の向上した発光パネルを形成することができる。なお、本発明の場合、画素ごとに発光をコントロールしないバックライトのような面均一発光パネルへの適用が可能である。
【００１９】
本発明の第２の局面は、表示パネルの製造方法であって、マザー基板上に複数の表示部を形成し、複数の該表示部を覆うように接着層を介してマザー封止板を接着した積層体を構成し、該積層体を表示部毎に分離して複数の表示パネルを得る製造方法において、隣接する表示部の間に位置する前記マザー基板あるいはマザー封止板の所望の領域に孔を設け、前記マザー基板とマザー封止板とを接着して積層体を作製する積層体作製工程において、両板間の気体を上記孔から外部に排気することを特徴とする。
【００２０】
本発明は、有機ＥＬに限らず、無機ＥＬ、ＦＥＤ、ＥＣＬ等の自発光素子の他、自発光でない表示素子であるポリマーＬＣＤ等からなる表示パネルの多面取りに好適な製造方法であり、マザー基板、マザー封止板、接着層に囲まれた空間とつながる孔をマザー基板に形成することにより、前記空間を該孔を介して積層体の外部とつながった開空間とすることができるため、マザー基板、マザー封止板、接着層に囲まれた閉空間が形成されないようにすることができる。これにより、表示品位に優れた表示パネルを形成することができる。また、かかる孔から前記空間内の気体を外部に排気することにより、表示部に閉空間を生じないように接着層を均一に広げることができる。さらに、上記閉空間に生じさせないため、マザー基板とマザー封止板との間を所定の間隔に保持するように表示パネルを製造できる。
【００２１】
また、表示部において閉空間が形成させないように接着剤を均一に広げることができるため、外部からの異物、例えば、水分が表示部内に浸入して表示部を劣化させることを抑制できる。
【００２２】
また、前記孔を設けない場合には、たとえ、塗布量不足とならないように必要充分な量の接着層を塗布したとしても、接着層の塗布量の不均一性やマザー基板の反りなどの歪、あるいは押圧力の局部的むらなどに起因して、マザー基板とマザー封止板との積層体において局部的に閉空間が形成される惧れがある。この場合には、即ち、たとえ１箇所でも閉空間が形成されると、マザー基板とマザー封止板との間隔が閉空間の高さとなり、それ以上に前記間隔を狭くすることができず、発光部上に接着層を均一に広げることができない欠陥表示パネルが多く出来てしまい、製造歩留まりが低下するという問題を生じる。従って、前記孔を設けた本発明の製造方法によれば、このような製造歩留まりが低下するという問題は低減できる。
【００２３】
これにより、歩留まりの低下を抑制しつつ、発光特性及び信頼性の向上した表示パネルを形成することができる。
【００２４】
本発明の第２の局面において、好ましくは、前記表示部は有機エレクトロルミネッセンス素子からなる。
【００２５】
このような製造方法によれば、マザー基板、マザー封止板、接着層に囲まれた空間とつながる孔をマザー基板に形成することにより、前記空間を該孔を介して積層体の外部とつながった開空間とすることができるため、マザー基板、マザー封止板、接着層に囲まれた閉空間が形成されないようにすることができる。これにより、表示品位に優れた有機エレクトロルミネッセンス表示パネルを形成することができる。また、かかる孔から前記空間内の気体を外部に排気することにより、表示部に閉空間を生じないように接着層を均一に広げることができる。さらに、上記閉空間に生じさせないため、マザー基板とマザー封止板との間を所定の間隔に保持するように有機エレクトロルミネッセンス表示パネルを製造できる。
【００２６】
また、有機エレクトロルミネッセンス表示部において閉空間が形成させないように接着剤を均一に広げることができるため、水分が有機エレクトロルミネッセンス表示部内に浸入して表示部を劣化させることを抑制できる。
【００２７】
本発明において、好ましくは、前記マザー基板又は前記マザー封止板に設けられる孔の位置は、前記発光パネル又は表示パネル以外の領域であって、かつ、前記接着層が塗布されない領域に予め設けられることを特徴とする。
【００２８】
このような製造方法により、複数の該発光部若しくは表示部若しくは有機エレクトロルミネッセンス表示部を覆うように接着層を介してマザー封止板を接着した積層体を構成する工程において、前記孔から接着層が漏れ出すのを抑制できる。前記孔から接着層が多量に漏れ出すと接着装置を汚染する可能性があり、このような汚染された接着装置を用いて接着工程を行うことにより製造歩留まりが低下するおそれがある。本発明によれば、かかる歩留まりの低下を抑制できる。
【００２９】
本発明において、さらに好ましくは、前記孔は、前記積層体を構成した状態で、マザー基板とマザー封止板の間に接着層が存在しない領域に設けられる。
【００３０】
このような製造方法により、複数の該発光部若しくは表示部若しくは有機エレクトロルミネッセンス表示部を覆うように接着層を介してマザー封止板を接着した積層体を構成する工程において、より確実に、前記孔から接着層が漏れ出すのを抑制できる。したがって、本発明によれば、より確実に、前記歩留まりの低下を抑制できる。
【００３１】
本発明の第３の局面は、有機エレクトロルミネッセンス表示パネルの製造方法であって、マザー基板上に複数の有機エレクトロルミネッセンス表示部を形成する表示部形成工程と、前記有機エレクトロルミネッセンス表示部を封止するためのマザー封止板の所定の位置に孔を開ける開孔工程と、前記マザー基板の表面に前記有機エレクトロルミネッセンス表示部を覆うように接着剤を塗布する接着剤塗布工程と、前記マザー基板表面の前記接着剤が塗布されていない領域に、前記マザー封止板に設けられた孔の位置が対向するように、前記マザー基板と前記マザー封止板とを位置決めする位置決め工程と、前記接着剤からなる接着層を前記マザー基板と前記マザー封止板との間に広げるとともに、前記マザー基板と前記マザー封止板との間の気体を前記孔から外部に排気して前記有機エレクトロルミネッセンス表示部を封止した積層体を作製する積層体作製工程と、該積層体を有機エレクトロルミネッセンス表示部毎に分離して複数の有機エレクトロルミネッセンス表示パネルを得る分離工程とを備えることを特徴とする。
【００３２】
このような製造方法によれば、マザー基板、マザー封止板、接着層に囲まれた空間とつながる孔をマザー基板に形成することにより、前記空間を該孔を介して積層体の外部とつながった開空間とすることができるため、該空間中の気体を該孔から外部に排気することができる。これにより、表示品位に優れた有機エレクトロルミネッセンス表示パネルを形成することができる。また、かかる孔から前記空間内の気体を外部に押し出すことにより、表示部に閉空間を生じないように接着層を均一に広げることができる。さらに、上記閉空間を生じさせないため、マザー基板とマザー封止板との間を所定の間隔に保持するように有機エレクトロルミネッセンス表示パネルを製造できる。
【００３３】
また、有機エレクトロルミネッセンス表示部において閉空間が形成させないように接着剤を均一に広げることができるため、水分が有機エレクトロルミネッセンス表示部内に浸入して有機エレクトロルミネッセンス表示部を劣化させることを抑制できる。
【００３４】
これにより、歩留まりの低下を抑制しつつ、発光特性及び信頼性の向上を図ることが出来る有機エレクトロルミネッセンス表示パネルを形成することができる。
【００３５】
本発明の第４の局面は、有機エレクトロルミネッセンス表示パネルの製造方法であって、マザー基板上に複数の有機エレクトロルミネッセンス表示部と各有機エレクトロルミネッセンス表示部毎に信号を供給するために各有機エレクトロルミネッセンス表示部に近接して配置された端子部とを併設する工程と、前記有機エレクトロルミネッセンス表示部と前記端子部との間に隔壁を形成する隔壁形成工程と、前記有機エレクトロルミネッセンス表示部を封止するためのマザー封止板の所定の位置に孔を設ける開孔工程と、前記マザー基板の表面の前記端子部及び前記隔壁を除いて前記有機エレクトロルミネッセンス表示部上に接着剤を塗布する接着剤塗布工程と、前記マザー基板表面の前記接着剤が塗布されていない領域に、前記マザー封止板に設けられた前記孔の位置が対向するように、前記マザー基板上に前記接着剤を介して前記マザー封止板を積層することによって、前記接着剤を両板間に広げる積層体作製工程と、該積層体を有機エレクトロルミネッセンス表示部毎に分離して複数の有機エレクトロルミネッセンス表示パネルを得る分離工程とを備え、前記積層体作製工程において、前記隔壁は前記接着剤が前記端子部に至ることを阻止し、前記マザー基板と前記マザー封止板との間の気体を前記孔から外部に排気することを特徴とする。
【００３６】
このような製造方法によれば、接着剤が端子部に至ることを隔壁が阻止しつつ、マザー基板、マザー封止板、接着層に囲まれた空間中にマザー封止板に設けられた孔が存在することになり開空間とすることができるため、端子部に接着剤が付着することを防止しつつ、マザー基板、マザー封止板、接着層に囲まれた閉空間が形成されないようにすることができる。したがって、端子部に接着剤を付着させずに、前記孔から前記空間内の気体を外部に押し出すことにより、接着層を均一に広げることができる。さらに、上記閉空間に生じさせないため、マザー基板とマザー封止板との間の間隔を狭くすることができる。
【００３７】
これにより、端子部に接着剤が付着する場合に必要となる洗浄工程を要さず、また、かかる洗浄工程に起因する歩留まりの低下を防止し、表示品位に優れた有機エレクトロルミネッセンス表示パネルを形成することができる。
【００３８】
また、有機エレクトロルミネッセンス表示部において閉空間が形成させないように接着剤を均一に広げることができるため、水分が有機エレクトロルミネッセンス表示部内に浸入して有機エレクトロルミネッセンス表示部を劣化させることを抑制できる。
【００３９】
本発明の第５の局面は、前記第１乃至第４のいずれかの局面にかかるパネルの製造方法であって、前記積層体作製工程を大気圧下で行うことを特徴とする。
【００４０】
かかる封止方法を用いることにより、真空チャンバー内で接着工程を行う必要がないため、真空チャンバーの大きさに制限されることなく、より大型のマザー基板を使用して、より多くの多面取りを実現することができる。
【発明の効果】
【００４１】
本発明によれば、マザー基板とマザー封止板との接着工程においてマザー基板、マザー封止板及び接着層に囲まれた閉空間が形成されず、マザー基板とマザー封止板間を所望の間隔に保持して、これら両板間の発光部若しくは表示部において接着層を均一に広げることができる。したがって、表示品位が高く、発光部若しくは表示部の発光特性及び信頼性の低下を抑制できるため、表示品位が高く、発光特性が良好で信頼性の向上した発光パネル若しくは表示パネルを製造でき、その製造歩留まりの向上が望める。
【発明を実施するための最良の形態】
【００４２】
本発明の実施形態について、図面を用いて、以下に説明する。
【００４３】
（実施の形態１）
まず、本実施形態に係る製造方法を用いて作製する有機ＥＬ表示パネルの構造について、図１乃至図４を参照して説明する。
【００４４】
１-１.有機ＥＬ表示パネルの全体構成
図１及び図２は、それぞれ、本実施形態に係る製造方法を用いて作製する有機ＥＬ表示パネルの構成を説明するための模式的な断面図及び上面図である。
【００４５】
図１は、隣接した有機ＥＬ表示パネル１ごとに分割される前の積層体１ａの状態を示しており、分割部５１を挟んで隣接する２つの有機ＥＬ表示パネルを図示した図である。封止体１ａを作製後、分割部５１において、隣接する有機ＥＬ表示パネル１，１が分割される。有機ＥＬ表示パネル１は、マザー基板３と封止用のマザー封止板４との間に有機ＥＬ表示部３１が接着用の接着層５を介して接着されて構成されている。
【００４６】
マザー基板３は、駆動用のＴＦＴが配されたＴＦＴ基板から構成される。また、マザー基板３上には、複数個の有機ＥＬ素子２，２…が設けられ、これらの有機ＥＬ素子２，２…により有機ＥＬ表示部３１が構成されている。また、マザー基板３上の、有機ＥＬ表示部３１の近傍には、外部回路と前記有機ＥＬ素子２とを電気的に接続し、該有機ＥＬ素子２に電気信号を送るための端子部１６が配されている。前記ＴＦＴが配された基板としては、ガラスの他、フレキシブルなプラスチックフィルムや金属フィルム等を用いることができる。
【００４７】
前記有機ＥＬ表示部３１と前記端子部１６との間には、前記接着工程において接着層５が端子部１６に至ることを阻止するための隔壁１４が設けられている。かかる隔壁１４としては、接着層５が端子部１６に至ることを阻止できれば、形状は問わない。かかる隔壁１４としては、接着層５より粘度の高い接着剤や、無機材料膜、有機材料膜等がパターニングされて設けられたものを用いることができる。接着剤を用いる場合には、マザー基板３とマザー封止板４との厚さを決めるギャップ材が添加されていてもよい。かかるギャップ材としては、ＳｉＯＸ（酸化ケイ素）、ＳｉＯＮ（酸窒化ケイ素）もしくはＳｉＮ（窒化ケイ素）等の無機材料、またはＡｇ（銀）、Ｎｉ（ニッケル）もしくはＡｌ（アルミニウム）等の金属材料を用いることができる。
【００４８】
マザー封止板４は、有機ＥＬ素子２と対向する面に赤（Ｒ）、緑（Ｇ）及び青（Ｂ）用のカラーフィルター１２Ｒ、１２Ｇ、１２Ｂを有する透光性の材料から構成されている。さらに、隣接するカラーフィルター間にはブラックマトリクス１３が配されている。マザー封止板４としては、ガラスの他、フレキシブルなプラスチックフィルムや金属フィルム等を用いることができる。
【００４９】
そして、本実施形態にあっては複数の有機ＥＬ素子２，２…が白色の光を発光するように構成されており、それぞれの有機ＥＬ素子２，２…から出射される白色の光はＲ、Ｇ及びＢ用のカラーフィルター１２Ｒ、１２Ｇ及び１２Ｂを介して外部に取り出される。このように、本実施形態にあっては、有機ＥＬ素子２，２…の発光がマザー封止板４側から取り出されるトップエミッションの構成とされている。
【００５０】
また、本実施形態にあっては、発光層から出射された白色光をカラーフィルターを介して外部に取り出すことにより、赤、緑及び青の三色の光を得る構成であるが、発光層を赤、緑及び青の光を出射する赤色発光層、緑色発光層及び青色発光層の三種類に塗り分けることによって、赤、緑及び青の三色の光を得る構成であってもよい。
【００５１】
また、マザー封止板４には、隣接する有機ＥＬ表示パネル１，１に挟まれた分割部５１，５１の間の領域に孔６が設けられている。かかる孔６は、マザー基板３とマザー封止板４とを接着する工程において、マザー基板３、マザー封止板４、接着層５及び隔壁１４に囲まれた空間２２に存在する気体を外部に排気するためのものであり、空間２２に存在する気体を外部に排気することができるものであれば、形状、大きさ等は問わない。
【００５２】
有機ＥＬ素子２，２…は、図１に示すようにマザー基板３側から陽極７、有機層８及び陰極９がこの順に積層されて構成されている。隣接する有機ＥＬ素子２，２の間は絶縁材料からなるセル分離膜１０によって分離されている。
【００５３】
陽極７は、例えば、ＩＴＯ（インジウム−スズ酸化物）等の金属化合物から構成されるが、金属化合物の下にＡｇ（銀）等の金属または合金からなる光反射性の材料が配設されてもよい。また、かかる陽極７は、各有機ＥＬ素子２，２…ごとに分離して形成されている。
【００５４】
有機層８は、例えば陽極７側からホール注入層、発光層及び電子輸送層がこの順に積層されて構成された（陽極）／ホール注入層／発光層／電子輸送層／（陰極）の構造を有する。しかしながら、有機層の構成はこれに限らず、
（１）（陽極）／ホール注入層／発光層／（陰極）
（２）（陽極）／ホール注入層／発光層／電子注入層／（陰極）
（３）（陽極）／ホール注入層／ホール輸送層／発光層／電子注入層／（陰極）
（４）（陽極）／ホール注入層／ホール輸送層／発光層／電子輸送層／電子注入層／（陰極）
等の周知の構成をとることができる。また、マザー基板３からの積層順序が上記と逆の構成、例えば、マザー基板３側から、（陰極）／電子注入層／電子輸送層／発光層／ホール輸送層／ホール注入層／（陽極）等のように積層された場合の構成をとることもできる。
【００５５】
本実施形態にあっては、発光層は、例えば青色の光を発光する発光層と、オレンジ色の光を発光する発光層とが積層されてなる２層構造の発光層とされ、白色の光を発光することのできる構成とされている。
【００５６】
陰極９は、例えば、ＩＴＯ等の金属化合物、金属または合金からなる光透過性の材料から構成される。本実施形態にあっては、図１に示すように、陰極９は各有機ＥＬ素子２，２…を覆うように連続的に形成されており、各有機ＥＬ素子２，２…に共通の陰極とされている。また、陰極９は保護膜１１により覆われている。
【００５７】
保護膜１１は、マザー基板３上に、有機ＥＬ表示部３１上を含み、且つ前記分割部５１、端子部１６及び隔壁１４を除くように形成される。保護膜１１としては、透湿性が低い無機材料、例えば、酸化ケイ素、窒化ケイ素等が用いられる。
【００５８】
さらに同図において、接着層５は、流動性があり、後に硬化して有機ＥＬ表示部を封止できる材料からなる。例えば、紫外線硬化型、可視光硬化型、熱硬化型、紫外線及び熱による複合硬化型、または、紫外線を用いる後硬化型の樹脂や、紫外線硬化型、熱硬化型等の、液状シリコーンゴム材料や液状シリコーンゲル材料等からなる。ただし、カラーフィルター又はＣＣＭ（色変換層）を有するマザー封止板４を用いる場合は、紫外光がフィルター部を透過できないので、熱硬化型、可視光硬化型、紫外線を用いる後硬化型の樹脂、液状シリコーンゴム材料又は液状シリコーンゲル材料等が用いられる。
【００５９】
具体的には、封止材５には、ユレア樹脂系、メラミン樹脂系、フェノール樹脂系、レゾルシノール樹脂系、エポキシ樹脂系、不飽和ポリエステル樹脂系、ポリウレタン樹脂系、アクリル樹脂系などの熱硬化性樹脂系と酢酸ビニル樹脂系、エチレン酢酸ビニル共重合体樹脂系、アクリル樹脂系、シアノアクリレート樹脂系、ポリビニルアルコール樹脂系、ポリアミド樹脂系、ポリオレフィン樹脂系、熱可塑性ポリウレタン樹脂系、飽和ポリエステル樹脂系、セルロース系などの熱可塑性樹脂系、エステルアクリレート、ウレタンアクリレート、エポキシアクリレート、メラミンアクリレート、アクリル樹脂アクリレートなどの各種アクリレート、ウレタンポリエステル等の樹脂を用いたラジカル系光硬化型接着剤、エポキシ、ビニルエーテルなどの樹脂を用いたカチオン系光硬化型接着剤、チオール・エン付加型樹脂系接着剤、クロロプレンゴム系、ニトリルゴム系、ステレン・ブタジエンゴム系、天然ゴム系、ブチルゴム系、シリコーン系などのゴム系、ビニル-フェノリック、クロロプレンーフェノリック、ニトリル-フェノリック、ナイロン-フェノリック、エポキシ-フェノリック、ニトリル-フェノリックなどの複合系の合成工高分子接着剤等が用いられる。
【００６０】
隣接する有機ＥＬ表示部３１，３１の間には分割部５１が配される。本実施形態においては、図１に示すように、端子部１６とそれに隣接する有機ＥＬ表示部３１の間に分割部５１が配される箇所がある。
【００６１】
図２は、有機ＥＬ表示パネル１の模式的な上面図であり、有機ＥＬ表示部３１に近接して端子部１６が配されていることを示している。端子部１６は、有機ＥＬ素子の陽極及び陰極にそれぞれ接続された、陽極引出し部１６ａ及び陰極引出し部１６ｂから構成される。なお、図２では、端子部１６は、有機ＥＬ表示パネル１において、有機ＥＬ表示部３１の四辺のうち一辺周辺にまとめられて配されているが、かかる配置に限られず、例えば、有機ＥＬ表示部３１の四辺周辺に分けて配されてもよい。
【００６２】
図１では簡略のために、陰極９が端子部１６に接続されているように記載しているが、実際は、陰極９は端子部１６中の陰極引出し部１６ｂ（図１では図示せず）と接続され、また、陽極７は各有機ＥＬ素子２ごとに端子部１６中の陽極引出し部１６ａ（図１では図示せず）と接続されている。
【００６３】
図１及び図２に示すように、有機ＥＬ表示部３１の外側には該表示部３１と近接して端子部１６が配されており、この端子部１６を介して有機ＥＬ表示部３１に外部から電気信号が供給される。
【００６４】
１-２.本実施の形態の特徴について
本実施形態に係る製造方法を用いて図１に示す有機ＥＬ表示パネル１を作製する方法について、図３及び図４を参照して以下に説明する。ここでは、４つの有機ＥＬ表示パネルを製造する場合について説明する。ただし、４つ以外の複数個の有機ＥＬ表示パネルを製造する場合も同様である。便宜上、図３及び図４には、本実施形態に係る製造方法を用いて有機ＥＬ表示パネルが製造された状態における分割部５１について図示している。
【００６５】
まず、マザー封止板４又はマザー基板３に、後述の積層体作製工程においてマザー封止板４とマザー基板３との間の気体を排気するための孔６を開ける。本実施形態においては、マザー封止板４に前記孔６を開ける場合について説明する。図３（ａ）は、前記孔６が開けられたマザー封止板４の模式的上面図である。孔６は、エンドミル法、サンドブラスト法、ウェットエッチング法、ドライエッチング法、レーザ光照射等によって形成できる。かかる孔６は、マザー基板３とマザー封止板４とを接着して積層体１ａを作製する積層体作製工程において、マザー基板３、マザー封止板４、接着層５及び隔壁１４に囲まれた空間２２に存在する気体を外部に排気するためのものである。この孔６としては、空間２２に存在する気体を外部に排気することができる形状、大きさ等のものを使用することができる。
【００６６】
図３（ａ）を参照して、孔６は、積層体１ａを、端子部１６を挟んで隣接する２つの有機ＥＬ表示部３１ごとに、それぞれの有機ＥＬ表示部３１を有する有機ＥＬ表示パネルに分割する分割部５１，５１の間の領域に設けられている。孔６は、マザー封止板４のうち、有機ＥＬ表示パネル領域以外の領域であり、後述の接着剤塗布工程において接着剤が塗布されない領域に設けることができる。ただし、孔は、後述の分離工程において、有機ＥＬ表示パネル１と分離される箇所、例えば、マザー封止板４において端子部１６上に位置する箇所に設けることもできる。また、孔６は、有機ＥＬ表示部３１が形成されたマザー基板３を接着層５を介してマザー封止板４を接着した積層体１ａを構成した状態で、マザー基板３とマザー封止板４の間に接着層５が存在しない領域に設けられるのが好ましい。
【００６７】
また、マザー基板３表面上に有機ＥＬ素子２から構成される有機ＥＬ表示部３１と、端子部１６を形成する。図３（ｂ）は、マザー基板３上に有機ＥＬ素子２から構成される有機ＥＬ表示部３１を形成した場合の模式的上面図である。なお、有機ＥＬ素子２は、上述したような構造である。この際、有機ＥＬ素子２の陽極７及び陰極９が前記端子部１６と電気的に接続するように、有機ＥＬ素子２を形成する。さらに、有機ＥＬ素子２，２…を覆うように保護膜１１を形成する（図省略）。
【００６８】
次に、マザー封止板４の表面のうち有機ＥＬ表示部３１を封止する側の表面、又はマザー基板３の有機ＥＬ表示部３１が形成された側の表面に、隔壁１４を形成する。本実施形態においては、マザー封止板４のうち、前記マザー基板３と貼り合わされる側の表面に、粘度の高い接着剤を塗布することにより隔壁１４を形成する。図３（ｃ）は、マザー封止板４表面上に粘度の高い接着剤を、前記有機ＥＬ表示部３１とそれを構成する有機ＥＬ素子２と電気的に接続された端子部１６との間に対応する位置と、該位置を挟んで該端子部１６と反対側の分割部５１近傍に、線形状に塗布した場合の模式的上面図である。該隔壁１４は、前記有機ＥＬ表示部３１と端子部１６との間に対応する位置に形成され、接着層５が端子部１５に至ることを阻止できる形状、大きさ、高さであればよい。隔壁１４として接着剤を用いる場合、該接着剤には、マザー基板３とマザー封止板４との間の間隔を設定するためのギャップ材を添加してもよい。かかるギャップ材としては、ＳｉＯＸ（酸化ケイ素）、ＳｉＯＮ（酸窒化ケイ素）もしくはＳｉＮ（窒化ケイ素）等の無機材料、またはＡｇ（銀）、Ｎｉ（ニッケル）もしくはＡｌ（アルミニウム）等の金属材料を用いることができる。
【００６９】
隔壁１４の形成方法としては、マザー封止板４上の前記所定位置に粘度の高い接着剤を塗布する方法の他、レジストをパターン形成してもよい。また、上述したようにマザー封止板４表面にカラーフィルターを形成している場合には平坦化のためにマザー封止板４上にオーバーコート層を設けてもよいが、該オーバーコート層自体に所定位置に凸状部分を設けることによって隔壁１４としてもよい。また、マザー基板３上の有機ＥＬ表示部３１とそれを構成する有機ＥＬ素子２と電気的に接続された端子部１６との間に、無機材料や有機材料からなる膜を形成してもよい。
【００７０】
続いて、マザー封止板４のうち、前記マザー基板３と貼り合わされる側の表面に、又は、マザー基板３のうち、前記マザー封止板４と貼り合わされる側の表面に、接着層５を塗布する。本実施形態においては、前者の表面に接着層５を塗布する場合について説明する。図３（ｄ）は、マザー封止板４表面上において、前記有機ＥＬ表示部３１に対応する領域を含み、端子部１６、隔壁１４及び前記孔６を除く領域に、隣接する有機ＥＬ表示部３１，３１を貫いた帯状形状と、各有機ＥＬ表示部３１に対応する領域において前記帯状形状と交差する線状形状に接着層５を塗布した場合の模式的上面図である。本実施形態においては、接着層５の塗布形状は図３（ｄ）のような形状であるが、この形状に限らず、端子部１６に付着しないで、有機ＥＬ表示部３１を覆うように接着層５を介してマザー基板３とマザー封止板４を接着できる形状であればよい。
【００７１】
次に、前記マザー基板３と、前記接着層５が塗布され、隔壁１４が形成されたマザー封止板４とを貼り合せて、マザー基板３とマザー封止板４とを押圧することによって接着層５を両板間に広げる。図３（ｅ）は、マザー基板３とマザー封止板４を貼り合せて、マザー基板３とマザー封止板４とを押圧することによって接着層５を両板間に広げた状態の模式的上面図である。ここで、接着層５が広がっても、隔壁１４が接着層５が端子部１６に至ることを阻止する。本実施形態においては、隔壁１４は接着剤からなるが、粘度の高い接着剤であるのでほとんど広がらず、端子部１６に至ることはないだけでなく、接着層５が端子部１６に至ることを阻止する。
【００７２】
このような接着層５を広げる工程において、図３（ｅ）に示すように、有機ＥＬ表示部（ア）及び有機ＥＬ表示部（イ）に対応する領域に塗布された接着層５は、これらの表示部を完全に覆うようには広がっていない。図３（ｅ）において、領域２４は、接着層５に覆われていない有機ＥＬ表示部の領域である。
【００７３】
これに対し、有機ＥＬ表示部（ウ）及び有機ＥＬ表示部（エ）に対応する領域に塗布された接着層５は、これらの表示部を完全に覆うように広がり、これらの表示部近傍の隔壁１４の両端から余分な接着層５が回りこんで広がっている。このように隔壁１４の両端から回り込んで広がった接着層５のうち、有機ＥＬ表示部（ア）、有機ＥＬ表示部（イ）側に広がった接着層５は、有機ＥＬ表示部（ア）、有機ＥＬ表示部（イ）それぞれと、それと電気的に接続された端子部１６の間の隔壁１４、１４と接触して空間２５、２５を形成している。
【００７４】
これは、有機ＥＬ表示部（ア）及び有機ＥＬ表示部（イ）に対応する領域に塗布された接着層５の塗布量よりも、有機ＥＬ表示部（ウ）及び有機ＥＬ表示部（エ）に対応する領域に塗布された接着層５の塗布量の方が多いため、塗布量の多い有機ＥＬ表示部（ウ）及び有機ＥＬ表示部（エ）に対応する領域から広がった余分な接着層５が、有機ＥＬ表示部（ウ）、有機ＥＬ表示部（エ）それぞれに隣接する有機ＥＬ表示部（ア）、有機ＥＬ表示部（イ）それぞれと、それと電気的に接続された端子部１６の間の隔壁１４、１４と接触して空間２５、２５を形成すると考えられる。すなわち、前記空間２５が形成されたのは、以下の説明のように、マザー封止板４に塗布された接着層５の塗布量が不均一性、あるいはマザー封止版３の平坦性の歪に起因すると考えられる。  
【００７５】
以下に、前記空間２５の形成の原因について、説明を加える。
【００７６】
マザー封止板４上への接着層５の塗布量は、対応する有機ＥＬ表示部３１ごとにバラツキが生じる場合がある。これは、例えば、ディスペンサーを用いて接着層５を塗布する際には、吐出量や吐出部の走査速度の不均一性や、マザー封止板４の反りやうねりなどの歪が原因となる。また、塗布量にバラツキがなくても、マザー基板３とマザー封止板４の押圧のむらのために接着層５の広がり方にバラツキが生じる場合もある。これらの問題は、一組のマザー基板３及びマザー封止板４の積層体から取り出す有機ＥＬ表示パネルの枚数が多いほど、顕著になる。
【００７７】
しかしながら、本実施形態においては、孔６を形成し、図３（ｅ）の状態からさらにマザー基板３とマザー封止板４とを押圧すると、前記空間２２は前記孔６を介して外部とつながった開空間であるため、空間２２内の気体を孔６から外部に押し出して排気できる。したがって、マザー基板３とマザー封止板４との間隔をより狭くすることができ、前記空間２５に存在する気体を孔６から外部に押し出して排気できるため、各表示部上において接着層５を均一に広げることができる。
【００７８】
図３（ｆ）は、図３（ｅ）の状態からさらにマザー基板３とマザー封止板４とを押圧することによって接着層５を両板間にさらに広げた状態の模式的上面図である。
【００７９】
有機ＥＬ表示部（ア）及び有機ＥＬ表示部（イ）上の接着層５は、それぞれの表示部を完全に覆うように均一に広がっている。
【００８０】
本実施形態においては、前記空間２５に存在する気体を孔６から外部に押し出して排気できるため、図３（ｅ）において存在していた接着層５に覆われていない有機ＥＬ表示部の領域２４も接着層５で覆うことにより、有機ＥＬ表示部３１全体を接着層５で完全に覆うように接着層５を均一に広げることができる。また、前記空間２５に存在する気体を孔６から外部に押し出して排気できるため、マザー基板３とマザー封止板４との間の間隔をさらに狭くすることができ、マザー基板３とマザー封止板４との間の間隔を、所定の間隔に保持するために隔壁１４に添加されたギャップ材の径と同じになるように設定することができる。
【００８１】
また、この態様の場合にも、接着層５は、前記孔６に位置までは広がらないため、該孔６から接着剤が漏れ出して接着装置を汚染することはない。
【００８２】
上記の接着層５を広げる工程と、空間２２に存在する気体を孔６から外部に排気する工程は、本実施形態のように、大気中でマザー基板３とマザー封止板４とを貼り合わせて、マザー基板３とマザー封止板４とを外力を加えることにより押圧することによって、接着層５を押し広げるのと空間２２に存在する気体を孔６から外部に排気するのを同時に行うことができる。
【００８３】
また、孔６から真空ポンプを用いて空間２２内の気体をゆっくり排気することによって、外圧との圧力差により押圧して接着層５を広げることもできる。
【００８４】
さらに、接着層５を所定の条件で硬化させることにより積層体１ａを形成する。なお、本実施形態においては、粘度の高い接着剤からなる隔壁１４も所定の条件で硬化させる。
【００８５】
次に、前記封止体１ａを、隣接する有機ＥＬ表示部３１、３１間における分割部５１で分割することによって、有機ＥＬ表示パネル１，１に分離する。図４は、封止体１ａを分割部５１で分割する様子を説明するための模式的断面図である。なお、図４は、図３（ｆ）のＡＢ間において切断した場合の模式的断面図である。ただし、図４は便宜上、有機ＥＬ表示部３１と端子部１６が接続されていないように図示しているが、実際には、両者は電気的に接続されている。
【００８６】
図４を参照して、有機ＥＬ表示パネル１は、マザー基板３上の有機ＥＬ表示部３１が保護層１１及び接着層５を介してマザー封止板４と封止されて構成されている。図４においては、マザー基板３とマザー封止板４の間に、２組の有機ＥＬ表示部３１及び端子部１６が形成されている。さらに、それぞれの有機ＥＬ表示部３１と端子部１６の間には隔壁１４が存在し、接着層５が端子部１６まで至ることを阻止している。また、本実施形態においては、端子部１６と反対側の分割部５１と有機ＥＬ表示部３１の間にも隔壁１４が存在し、接着層５が前記分割部に至ることを阻止している。
【００８７】
隣接する有機ＥＬ表示部３１，３１間に位置する分割部５１，５１の間に対応する領域におけるマザー封止板４には、孔６が形成されている。
【００８８】
図４（ａ）のように、積層体１ａにおいて、分割部５１に対応するマザー基板３及びマザー封止板４表面に分割溝５２を形成する。次に、積層体１ａに適当な応力を加えることにより、図４（ｂ）に示すように、積層体１ａを有機ＥＬ表示パネル１と不要部６１に分割することにより、有機ＥＬ表示パネル１を取り出す（図４（ｂ）の場合は２つの有機ＥＬ表示パネル）。
【００８９】
ここで、図４（ｂ）に示すように、前記孔６は不要部６１に存在することとなるため、前記孔６を有しない有機ＥＬ表示パネル１を作製することができる。ただし、分割部５１及び分割溝５２の位置を調整することにより、有機ＥＬ表示パネル１が孔６を有するように分割してもよいし、孔６の位置で分割してもよい。
【００９０】
次に、有機ＥＬ表示パネル１に応力を印加することにより、端子部１６上に位置する箇所のマザー封止板４を有機ＥＬ表示パネル１から分離する。端子部１６上には接着層５が存在しないため、有機ＥＬ表示パネル１に応力を印加すると、有機ＥＬ表示パネル１のうち、マザー封止板４のうち端子部１６上に位置する箇所からなる不要部６２をマザー基板３から分離できる（図４（ｃ））。以上のように、有機ＥＬ表示パネル１を完成させる。なお、上述したように、孔６が該不要部６２に設けられた場合にも、孔６を有しない有機ＥＬパネル１を作製することができる。
【００９１】
以上の通り、本発明を用いることによって、塗布量不足とならない所定量以上に接着層を塗布すれば、たとえ、マザー封止板４に塗布された接着層５の塗布量が不均一性、あるいはマザー封止版３の平坦性の歪がある場合であっても、マザー基板とマザー封止板とを接着して積層体を作製する積層体作製工程において、塗布量の多い箇所から広がった接着層同士が接触しても、あるいは、塗布量の多い箇所から広がった接着層が隔壁と接触しても、マザー基板、マザー封止板及び接着層、あるいは、マザー基板、マザー封止板、接着層及び隔壁に囲まれた閉空間を形成させず、最終的に封止後のマザー基板とマザー封止板間を所望の間隔に保持することができ、有機ＥＬ表示部上において閉空間を生じさせずに接着層を均一に広げることができることにより、表示品位が高く、表示品位が高く、発光特性が良好で信頼性の向上した有機ＥＬ表示パネルを製造できる。
【００９２】
（実施の形態２）
まず、本実施形態に係る製造方法を用いて作製する有機ＥＬ表示パネルの構造について、図５及び図６を参照して説明する。
【００９３】
２-１.有機ＥＬ表示パネルの全体構成
本実施の形態に係る製造方法を用いて作製する有機ＥＬ表示パネルの構造は、隔壁１４が存在しない点を除いて、実施の形態１の場合と同様である。本実施形態においては、接着層５を塗布した後、少なくとも端子部１６上の接着層５を硬化させず、積層体１ａを分割部５１に沿って分割後、前記未硬化の接着層５を洗浄して除去することにより、端子部１６を露出させる。
【００９４】
２-２.本実施の形態の特徴について
本実施形態に係る製造方法を用いて有機ＥＬ表示パネル１を作製する方法について、図５及び図６を参照して以下に説明する。ここでは、４つの有機ＥＬ表示パネルを製造する場合について説明する。ただし、４つ以外の複数個の有機ＥＬ表示パネルを製造する場合も同様である。便宜上、図５及び図６には、本実施形態に係る製造方法を用いて有機ＥＬ表示パネルが製造された状態における分割部５１について図示している。
【００９５】
まず、マザー封止板４又はマザー基板３に、後述の積層体作製工程においてマザー封止板４とマザー基板３との間の気体を排気するための孔６を開ける。本実施形態においては、マザー封止板４に前記孔６を開ける場合について説明する。図５（ａ）は、前記孔６が開けられたマザー封止板４の模式的上面図である。孔６は、エンドミル法、サンドブラスト法、ウェットエッチング法、ドライエッチング法、レーザ光照射等によって形成できる。かかる孔６は、マザー基板とマザー封止板とを接着して積層体を作製する積層体作製工程において、マザー基板３、マザー封止板４、接着層５に囲まれた空間２２に存在する気体を外部に排気するためのものである。この孔６としては、空間２２に存在する気体を外部に排気することができる形状、大きさ等のものを使用することができる。
【００９６】
図５（ａ）を参照して、孔６は、積層体１ａを隣接する４つの有機ＥＬ表示部３１ごとに、それぞれの有機ＥＬ表示部３１を有する有機ＥＬ表示パネルに分割する分割部５１，５１の間の領域に設けられている。孔６は、マザー封止板４のうち、有機ＥＬ表示パネル領域以外の領域であり、後述の接着剤塗布工程において接着剤が塗布されない領域に設けることができる。また、孔６は、有機ＥＬ表示部が形成されたマザー基板３を接着層５を介してマザー封止板４を接着した積層体１ａを構成した状態で、マザー基板３とマザー封止板４の間に接着層５が存在しない領域に設けられるのが好ましい。
【００９７】
また、マザー基板３表面上に有機ＥＬ素子２から構成される有機ＥＬ表示部３１と、端子部１６を形成する。図５（ｂ）は、マザー基板３上に有機ＥＬ素子２から構成される有機ＥＬ表示部３１を形成した場合の模式的上面図である。なお、有機ＥＬ素子２は、上述したような構造である。この際、有機ＥＬ素子２の陽極７及び陰極９が前記端子部１６と電気的に接続するように、有機ＥＬ素子２を形成する。さらに、有機ＥＬ素子２，２…を覆うように保護膜１１を形成する（図省略）。
【００９８】
続いて、マザー封止板４のうち、前記マザー基板３と貼り合わされる側の表面に、接着層５を塗布する。図５（ｃ）は、マザー封止板４表面上の前記各有機ＥＬ表示部３１，３１…上に接着層５を落滴した場合の模式的上面図である。本実施形態においては、接着層５は、図５（ｃ）のように、各有機ＥＬ表示部３１，３１…の中央付近に円形状に落滴されているが、この形状に限らず、各有機ＥＬ表示部３１、３１・・・を覆うように接着層５を介してマザー基板３とマザー封止板４を接着できる形状であればよい。
【００９９】
次に、前記マザー基板３と、前記接着層５が塗布され、隔壁１４が形成されたマザー封止板４とを貼り合せて、マザー基板３とマザー封止板４とを押圧することによって接着層５を両板間に広げる。図５（ｄ）は、マザー基板３とマザー封止板４を貼り合せて、マザー基板３とマザー封止板４とを押圧することによって接着層５を両板間に広げた状態の模式的上面図である。図５（ｄ）のように、４つの隣接する有機ＥＬ表示部３１上に落滴された接着層５が同心円状に広がり、それぞれの接着層５が孔６を囲むように接触し、空間２２を形成する。本実施形態の場合には、接着層５の塗布量にむらが有るか否かを問わず、塗布量が多くても、空間２２を形成する。この空間２２は前記孔６を介して外部とつながった開空間である。この状態では、有機ＥＬ表示部３１の一部の領域３２が接着層５に覆われていない。さらに、マザー基板３とマザー封止板４とを押圧し、さらに接着層５を両板間に広げる。また、前記孔６から、前記空間２２に存在する気体を外部に排気する。図５（ｅ）は、図５（ｄ）の状態からさらにマザー基板３とマザー封止板４とを押圧することによって接着層５を両板間にさらに広げた状態の模式的上面図である。本実施形態においては、前記押圧によって、前記空間２２につながった孔５から空間２２に存在する気体を外部に排気することができる。これにより、空間２２をさらに狭くし、マザー基板３とマザー封止板４との間の間隔を狭くすることができる。また、有機ＥＬ表示部３１全体を接着層５で完全に覆うように接着層５を均一に広げることができる。
【０１００】
このように、気体を孔６から排気するため、有機ＥＬ表示部３１上において閉空間を生じさせず、図５（ｄ）の状態において存在していた、有機ＥＬ表示部３１上のうち接着層５に覆われていない領域３２も接着層５で覆うことができ、接着層５が完全に有機ＥＬ表示部３１を覆うようにすることができる。また、接着層５を、前記孔６に位置までは広げないため、該孔６から接着剤が漏れ出して接着装置を汚染することはない。
【０１０１】
さらに、接着層５を所定の条件で硬化させることにより積層体１ａを形成する。なお、本実施形態においては、前記端子部１６上に存在する接着層５を硬化させない。このようなパターニング硬化の方法としては、例えば、接着層５が紫外線硬化樹脂からなる場合に、端子部１６上に存在する接着層５をマスクにより遮断しながら、それ以外の領域に紫外線を照射することによって、端子部１６上を除いた領域の紫外線硬化樹脂を硬化させることができる。
【０１０２】
次に、前記封止体１ａを、隣接する有機ＥＬ表示部３１、３１間における分割部５１で分割することによって、有機ＥＬ表示パネル１，１に分離する。図６は、封止体１ａを分割部５１で分割する様子を説明するための模式的断面図である。なお、図６は、図５（ｅ）のＣＤ間において切断した場合の模式的断面図である。ただし、図６は便宜上、有機ＥＬ表示部３１と端子部１６が接続されていないように図示しているが、実際には、両者は電気的に接続されている。
【０１０３】
図６を参照して、有機ＥＬ表示パネル１は、マザー基板３上の有機ＥＬ表示部３１及び保護層１１が接着層５を介してマザー封止板４と封止されて構成されている。図４においては、マザー基板３とマザー封止板４の間に、２組の有機ＥＬ表示部３１及び端子部１６が形成されている。端子部１６上には、未硬化の接着層１５が存在し、それ以外の領域の接着層５は硬化されている。
【０１０４】
図６（ａ）のように、積層体１ａにおいて、分割部５１に対応するマザー基板３及びマザー封止板４表面に分割溝５２を形成する。次に、積層体１ａに適当な応力を加えることにより、図６（ｂ）に示すように、積層体１ａを有機ＥＬ表示パネル１と不要部６１に分割することにより、有機ＥＬ表示パネル１を取り出す（図６（ｂ）の場合は２つの有機ＥＬ表示パネル）。
【０１０５】
次に、有機ＥＬ表示パネル１に応力を印加することにより、端子部１６上に位置する箇所のマザー封止板４を有機ＥＬ表示パネル１から分離する。端子部１６上の接着層１５は未硬化であるため、有機ＥＬ表示パネル１に応力を印加すると、端子部１６上の接着層５おいて、マザー基板３側とマザー封止板４側とが容易に分離し、それに伴い、有機ＥＬ表示パネル１のうち、マザー封止板４及び封止材５のうち端子部１６上に位置する箇所からなる不要部６２をマザー基板３から分離できる（図６（ｃ））。さらに、端子部１６上に付着した未硬化の接着層１５を洗浄することにより除去して（図６（ｄ））、有機ＥＬ表示パネル１を完成させる。
【０１０６】
以上の通り、本発明を用いることによって、マザー基板とマザー封止板とを接着して積層体を作製する積層体作製工程においてマザー基板、マザー封止板及び接着層に囲まれた閉空間を形成させず、最終的に封止後のマザー基板とマザー封止板間を所望の高さとすることができ、有機ＥＬ表示部上において接着層を均一に広げることにより、表示品位が高く、表示品位が高く、発光特性が良好で信頼性の向上した有機ＥＬ表示パネルを製造できる。
【０１０７】
（実施の形態３）
まず、本実施形態に係る製造方法を用いて作製する有機ＥＬ表示パネルの構造について、図７及び図８を参照して説明する。
【０１０８】
３-１.有機ＥＬ表示パネルの全体構成
本実施の形態に係る製造方法を用いて作製する有機ＥＬ表示パネルの構造は、隔壁１４が存在しない点を除いて、実施の形態１の場合と同様である。本実施形態においては、接着層５を塗布する前に、端子部１６上をマスキングすることにより、端子部１６に接着層５が至ることを阻止する。その後、接着層５を硬化し、分割した後にマスキングを除去することにより、端子部１６を露出させる。
【０１０９】
３-２.本実施の形態の特徴について
本実施形態に係る製造方法を用いて有機ＥＬ表示パネル１を作製する方法について、図７及び図８を参照して以下に説明する。ここでは、４つの有機ＥＬ表示パネルを製造する場合について説明する。ただし、４つ以外の複数個の有機ＥＬ表示パネルを製造する場合も同様である。便宜上、図７及び図８には、本実施形態に係る製造方法を用いて有機ＥＬ表示パネルが製造された状態における分割部５１について図示している。
【０１１０】
まず、マザー封止板４又はマザー基板３に、後述の積層体作製工程においてマザー封止板４とマザー基板３との間の気体を排気するための孔６を開ける。本実施形態においては、マザー封止板４に前記孔６を開ける場合について説明する。図７（ａ）は、前記孔６が開けられたマザー封止板４の模式的上面図である。孔６は、エンドミル法、サンドブラスト法、ウェットエッチング法、ドライエッチング法、レーザ光照射等によって形成できる。かかる孔６は、マザー基板とマザー封止板とを接着して積層体を作製する積層体作製工程において、マザー基板３、マザー封止板４、接着層５に囲まれた空間２２に存在する気体を外部に排気するためのものである。この孔６としては、空間２２に存在する気体を外部に排気することができる形状、大きさ等のものを使用することができる。
【０１１１】
図７（ａ）を参照して、孔６は、積層体１ａを隣接する４つの有機ＥＬ表示部３１ごとに、それぞれの有機ＥＬ表示部３１を有する有機ＥＬ表示パネルに分割する分割部５１，５１の間の領域に設けられている。孔６は、マザー封止板４のうち、有機ＥＬ表示パネル領域以外の領域であり、後述の接着剤塗布工程において接着剤が塗布されない領域に設けることができる。また、孔６は、有機ＥＬ表示部が形成されたマザー基板３を接着層５を介してマザー封止板４を接着した積層体１ａを構成した状態で、マザー基板３とマザー封止板４の間に接着層５が存在しない領域に設けられるのが好ましい。
【０１１２】
また、マザー基板３表面上に有機ＥＬ素子２から構成される有機ＥＬ表示部３１と、端子部１６を形成する。なお、有機ＥＬ素子２は、上述したような構造である。この際、有機ＥＬ素子２の陽極７及び陰極９が前記端子部１６と電気的に接続するように、有機ＥＬ素子２を形成する。さらに、有機ＥＬ素子２，２…を覆うように保護膜１１を形成する（図省略）。
【０１１３】
さらに、マザー封止板４上に端子部１６を覆うようにマスキングテープを貼ることによって、端子部１６に接着層５が至ることを阻止するためのマスキングを行う。かかるマスキングテープは、背面に接着層５が接着しないような材料からなる。例えば、背面がフッ素コーティングされたテープ等を用いることができる。図７（ｂ）は、マザー基板３上に有機ＥＬ素子２から構成される有機ＥＬ表示部３１を形成し、端子部１６を覆うようにマスキングテープを貼った場合の模式的上面図である。
【０１１４】
続いて、マザー封止板４のうち、前記マザー基板３と貼り合わされる側の表面に、接着層５を塗布する。図７（ｃ）は、マザー封止板４表面上の前記各有機ＥＬ表示部３１，３１…上に接着層５を落滴した場合の模式的上面図である。本実施形態においては、接着層５は、図７（ｃ）のように、各有機ＥＬ表示部３１，３１…の中央付近に円形状に落滴されているが、この形状に限らず、有機ＥＬ表示部３１を覆うように接着層５を介してマザー基板３とマザー封止板４を接着できる形状であればよい。
【０１１５】
次に、前記マザー基板３と、前記接着層５が塗布され、マザー封止板４とを貼り合せて、マザー基板３とマザー封止板４とを押圧することによって接着層５を両板間に広げる。図７（ｄ）は、マザー基板３とマザー封止板４を貼り合せて、マザー基板３とマザー封止板４とを押圧することによって接着層５を両板間に広げた状態の模式的上面図である。図７（ｄ）のように、４つの隣接する有機ＥＬ表示部３１上に落滴された接着層５が同心円状に広がり、それぞれの接着層５が孔６を囲むように接触し、空間２２を形成する。本実施形態の場合には、接着層５の塗布量にむらが有るか否かを問わず、塗布量が多くても、空間２２を形成する。この空間２２は前記孔６とつながった開空間である。この状態では、有機ＥＬ表示部３１の一部３２が接着層５に覆われていない。さらに、マザー基板３とマザー封止板４とを押圧し、さらに接着層５を両板間に広げる。また、前記孔６から、前記空間２２に存在する気体を外部に排気する。図７（ｅ）は、図７（ｄ）の状態からさらにマザー基板３とマザー封止板４とを押圧することによって接着層５を両板間にさらに広げた状態の模式的上面図である。本実施形態においては、前記押圧によって、前記空間２２につながった孔６から空間２２に存在する気体を外部に排気することができる。これにより、空間２２をさらに狭くし、マザー基板３とマザー封止板４との間の間隔を狭くすることができる。また、有機ＥＬ表示部３１全体を接着層５で完全に覆うように接着層５を均一に広げることができる。
【０１１６】
このように、気体を孔６から排気するため、有機ＥＬ表示部３１上において閉空間を生じさせず、図７（ｄ）の状態において存在していた、有機ＥＬ表示部３１上のうち接着層５に覆われていない領域３２も接着層５で覆うことができ、接着層５が完全に有機ＥＬ表示部３１を覆うようにすることができる。また、接着層５を、前記孔６に位置までは広げないため、該孔６から接着剤が漏れ出して接着装置を汚染することはない。
【０１１７】
さらに、接着層５を所定の条件で硬化させることにより積層体１ａを形成する。
【０１１８】
次に、前記封止体１ａを、隣接する有機ＥＬ表示部３１間における分割部５１で分割する。図８は、封止体１ａを分割部５１で分割する様子を説明するための模式的断面図である。なお、図８は、図７（ｅ）のＥＦ間において切断した場合の模式的断面図である。ただし、図８は便宜上、有機ＥＬ表示部３１と端子部１６が接続されていないように図示しているが、実際には、両者は電気的に接続されている。
【０１１９】
図８を参照して、有機ＥＬ表示パネル１は、マザー基板３上の有機ＥＬ表示部３１及び保護層１１が接着層５を介してマザー封止板４と封止されて構成されている。図８においては、マザー基板３とマザー封止板４の間に、２組の有機ＥＬ表示部３１及び端子部１６が形成されている。前記端子部１６上には前記マスキングテープ１７が貼られており、該マスキングテープの背面と接着層５は接着されていない。
【０１２０】
図８（ａ）のように、分割部５１に対応するマザー基板３及びマザー封止板４表面に分割溝５２を形成する。次に、積層体１ａに適当な応力を加えることにより、図８（ｂ）に示すように、積層体１ａを有機ＥＬ表示パネル１と不要部６１に分割することにより、有機ＥＬ表示パネル１を取り出す（図８（ｂ）の場合は２つの有機ＥＬ表示パネル）。
【０１２１】
次に、有機ＥＬ表示パネル１に応力を印加することにより、端子部１６上に位置する箇所のマザー封止板４を分離する。端子部１６上に存在するマスキングテープ１７とその上に存在する接着層５が接着していないため、有機ＥＬ表示パネル１に応力を印加すると、マスキングテープ１７背面表面と接着層５の界面で容易に分離し、それに伴い、有機ＥＬ表示パネル１のうち、マザー基板４及び接着層５のうち端子部１６上に位置する箇所からなる不要部６２をマザー基板３から分離できる（図８（ｃ））。その後、マスキングテープをはがすことによって、端子部１６を露出させて（図８（ｄ））、有機ＥＬ表示パネル１を完成させる。
【０１２２】
以上の通り、本発明を用いることによって、マザー基板とマザー封止板とを接着して積層体を作製する積層体作製工程においてマザー基板、マザー封止板及び接着層に囲まれた閉空間を形成させず、最終的に封止後のマザー基板とマザー封止板間を所望の間隔に保持することができ、有機ＥＬ表示部上において接着層を均一に広げることにより、表示品位が高く、表示品位が高く、発光特性が良好で信頼性の向上した有機ＥＬ表示パネルを製造できる。
【実施例１】
【０１２３】
以下に、上記の実施の形態１の製造方法を用いて有機ＥＬ表示パネル１を作製した実施例について説明する。
【０１２４】
図３（ａ）に示すように、エンドミル法により、ガラスからなるマザー封止板４に孔６を開けた。孔６は、積層体１ａを、端子部１６を挟んで隣接する２つの有機ＥＬ表示部３１ごとに、それぞれの有機ＥＬ表示部３１を有する有機ＥＬ表示パネルに分割する分割部５１，５１の間の領域に設けた。孔６は円形であり、その径は１ｍｍである。
【０１２５】
また、図３（ｂ）に示すように、端子部１６及び有機ＥＬ表示部３１を形成した。まず、ＴＦＴ基板からなるマザー基板３上に端子部１６を形成した。端子部１６としては、Ｃｒ膜をスパッタ法により形成した。
【０１２６】
また、ＴＦＴ基板６の電極上に、陽極７を形成し、さらに、セル分離膜１０を形成した。
【０１２７】
続いて、マザー基板３上に有機膜８をマスクを用いて蒸着し、さらに陰極９をマスクを用いて形成することにより、有機ＥＬ素子２，２…からなる有機ＥＬ表示部３１を形成した。さらに、マザー基板３上に、保護膜１１として、窒化ケイ素／酸化ケイ素／窒化ケイ素からなる積層膜を形成した。かかる保護膜膜１１は、前記有機ＥＬ表示部３１を覆うようにマスクを用いてパターニング形成した。
【０１２８】
次に、マザー封止板４のうち、前記マザー基板３と貼り合わされる側の表面に、粘度の高い紫外線硬化性樹脂を塗布することにより隔壁１４を形成した。本実施例においては、図３（ｃ）に示すように、隔壁１４としてマザー封止板４表面上に、径が１０μｍの樹脂を材料とする球体（ビーズ）からなるギャップ剤を分散させた、粘度の高い紫外線硬化性樹脂を、前記有機ＥＬ表示部３１とそれを構成する有機ＥＬ素子２と電気的に接続された端子部１６との間に対応する位置と、該位置を挟んで該端子部１６と反対側の分割部５１近傍に、端子部１６よりも長く線形状に塗布した。該隔壁１４は、接着層５が端子部１５に至ることを阻止できる。
【０１２９】
続いて、図３（ｄ）のように、マザー封止板４のうち、前記マザー基板３と貼り合わされる側の表面のうち、マザー封止板４表面上の前記有機ＥＬ表示部３１上を含み、端子部１６及び前記孔６を除く領域に、隣接する有機ＥＬ表示部３１，３１を貫いた帯状形状と、各有機ＥＬ表示部３１上において前記帯状形状と交差する線状形状に紫外線硬化性樹脂からなる接着層５を塗布した。
【０１３０】
次に、前記マザー基板３と、前記接着層５が塗布され、隔壁１４が形成されたマザー封止板４とを、大気圧下で貼り合せて、外力を加えてマザー基板３とマザー封止板４とを押圧することによって接着層５を両板間に広げた（図３（ｅ））。ここで、接着層５が広がっても、隔壁１４が接着層５が端子部１６に至ることを阻止できた。本実施例においては、隔壁１４は紫外線硬化性樹脂からなるが、粘度の高い紫外線硬化性樹脂であるのでほとんど広がらず、端子部１６に至ることはないだけでなく、接着層５が端子部１６に至ることを阻止した。
【０１３１】
このような接着層５を広げる工程において、図３（ｅ）に示すように接着層５が広がった。図３（ｅ）を参照して、有機ＥＬ表示部（ウ）及び有機ＥＬ表示部（エ）は接着層５に完全に覆われたが、有機ＥＬ表示部（ア）及び有機ＥＬ表示部（イ）は接着層５に完全には覆われなかった。図３（ｅ）において、領域２４は、接着層５に覆われていない表示部の領域である。隔壁１４の両端から有機ＥＬ表示部（ア）、有機ＥＬ表示部（イ）側に回り込んで広がった接着層５は、有機ＥＬ表示部（ア）、有機ＥＬ表示部（イ）それぞれとそれと電気的に接続された端子部１６の間の隔壁１４、１４と接触して空間２５、２５を形成した。
【０１３２】
この場合に、さらにマザー基板３とマザー封止板４とを押圧することによって接着層５を両板間にさらに広げたところ、図３（ｆ）のように、有機ＥＬ表示部（ア）及び有機ＥＬ表示部（イ）も接着層５により完全に覆われた。該空間２５は前記孔６を介して、積層体１ａの外部とつながっているため、空間２５は開空間であり、接着層５を広げるとともに、空間２５に存在する気体を前記孔６から外部に排気できた。このように、気体を孔６から排気できたため、マザー基板３とマザー封止板４との間の間隔を、隔壁１４に添加されたギャップ材の径にまで狭くすることができ、また、有機ＥＬ表示部３１において閉空間を生じさせず、接着層５が完全に有機ＥＬ表示部３１を覆うようにすることができた。また、接着層５は、前記孔６に位置までは広がらないため、該孔６から接着剤が漏れ出すことはなかった。
【０１３３】
さらに、紫外線硬化性樹脂からなる接着層５及び隔壁１４を所定の条件で硬化させることにより積層体１ａを形成した。
【０１３４】
続いて、図４（ａ）に示すように、マザー封止板４及びマザー基板３における分割部５１に、ダイヤモンドカッターで分割溝５２を設けた。さらに、マザー封止板４及びマザー基板３に応力を印加することにより、図４（ｂ）のように、有機ＥＬ表示パネル１と不要部６１に分割した。ここで、有機ＥＬ表示パネル１に孔６が存在せず不要部６１に存在するように分割した。さらに、図４（ｃ）に示すように、有機ＥＬ表示パネル１に応力を印加して、不要部６２をマザー封止板４から分離することによって、端子部１６を露出させて、有機ＥＬ表示パネル１を完成させた。
【０１３５】
作製された有機ＥＬ表示パネル１を光学顕微鏡下で確認すると、有機ＥＬ表示パネル１全体において閉空間は見つからなかった。
【０１３６】
以上の通り、本発明を用いることによって、塗布量不足とならない所定量以上に接着層を塗布すれば、接着層の塗布量にむらがある場合であっても、マザー基板とマザー封止板とを接着して積層体を作製する積層体作製工程においてマザー基板、マザー封止板及び接着層に囲まれた閉空間を形成させず、最終的に封止後のマザー基板とマザー封止板間を所望の間隔とすることができ、有機ＥＬ表示部上において接着層を均一に広げることにより、表示品位が高く、表示品位が高く、発光特性が良好で信頼性の向上した有機ＥＬ表示パネルを製造できた。
【実施例２】
【０１３７】
次いで、以下に、上記の実施の形態２の製造方法を用いて有機ＥＬ表示パネル１を製造した実施例について説明する。
【０１３８】
図５（ａ）に示すように、サンドブラスト法により、ガラスからなるマザー封止板４に孔６を開けた。図５（ａ）を参照して、孔６は、積層体１ａを隣接する４つの有機ＥＬ表示部３１ごとに、それぞれの有機ＥＬ表示部３１を有する有機ＥＬ表示パネルに分割する分割部５１，５１の間の領域に設けられている。孔６は円形であり、その径は１ｍｍである。
【０１３９】
また、実施例１と同様に、マザー基板３上に、端子部１６及び有機ＥＬ表示部３１を形成し、さらに、前記有機ＥＬ表示部３１上に保護膜１１を形成した（図５（ｂ））。
【０１４０】
続いて、マザー封止板４のうち、前記マザー基板３と貼り合わされる側の表面に、図５（ｃ）のように、各有機ＥＬ表示部３１，３１…の中央付近に円形状に落滴することにより、紫外線硬化樹脂からなる接着層５を塗布した。
【０１４１】
次に、前記マザー基板３と、前記接着層５が塗布されたマザー封止板４とを、大気圧下で貼り合せて、外力を加えてマザー基板３とマザー封止板４とを押圧することによって接着層５を両板間に広げた（図５（ｄ））。
【０１４２】
このような接着層５を広げる工程において、図５（ｄ）のように、４つの隣接する有機ＥＬ表示部３１上に落滴された接着層５が広がり、それぞれの接着層５が孔６を囲むように接触し、空間２２を形成した。この空間２２は前記孔６を介して積層体１ａの外部とつながった開空間である。また、有機ＥＬ表示部３１上の一部には、接着層５により覆われていない領域３２が存在した。
【０１４３】
さらに、マザー基板３とマザー封止板４とを押圧し、さらに接着層５を両板間に広げた（図５（ｅ））。前記空間２２は前記孔６を介して積層体１ａの外部とつながっているため、空間２２は開空間であり、接着層５を広げるとともに、空間２２に存在する気体を前記孔６から外部に排気できた。このように、気体を孔６から排気できたため、有機ＥＬ表示部３１上において閉空間を生じさせず、図５（ｄ）の状態において存在していた、有機ＥＬ表示部３１上のうち接着層５に覆われていない領域３２も接着層５で覆うことができ、接着層５が完全に有機ＥＬ表示部３１を覆うようにすることができた。また、接着層５は、前記孔６に位置までは広がらないため、該孔６から接着剤が漏れ出すことはなかった。
【０１４４】
さらに、紫外線硬化性樹脂からなる接着層５を所定の条件で硬化させることにより積層体１ａを形成した。このとき、端子部１６上に存在する接着層５をマスクにより遮断しながら、それ以外の領域に紫外線を照射することによって、端子部１６上を除いた領域の紫外線硬化樹脂を硬化させ、前記端子部１６上に存在する接着層５を硬化させなかった。
【０１４５】
続いて、図６（ａ）に示すように、マザー封止板４及びマザー基板３における分割部５１に、ダイヤモンドカッターで分割溝５２を設けた。さらに、マザー封止板４及びマザー基板３に応力を印加することにより、図６（ｂ）のように、有機ＥＬ表示パネル１と不要部６１に分割した。ここで、孔６は、積層体１ａを隣接する４つの有機ＥＬ表示部３１ごとに、それぞれの有機ＥＬ表示部３１を有する有機ＥＬ表示パネルに分割する分割部５１，５１の間の領域に設けたため、有機ＥＬ表示パネル１には孔６は存在しなかった。さらに、図６（ｃ）に示すように、有機ＥＬ表示パネル１に応力を印加して、不要部６２をマザー封止板４から分離し、さらに、端子部１６上に付着した未硬化の接着層１５を洗浄することにより除去することによって、端子部１６を露出させて、有機ＥＬ表示パネル１を完成させた。
【０１４６】
作製された有機ＥＬ表示パネル１を光学顕微鏡下で確認すると、有機ＥＬ表示パネル１全体において閉空間は見つからなかった。
【０１４７】
以上の通り、本発明を用いることによって、マザー基板とマザー封止板とを接着して積層体を作製する積層体作製工程においてマザー基板、マザー封止板及び接着層に囲まれた閉空間を形成させず、最終的に封止後のマザー基板とマザー封止板間を所望の間隔とすることができ、有機ＥＬ表示部上において接着層を均一に広げることにより、表示品位が高く、表示品位が高く、発光特性が良好で信頼性の向上した有機ＥＬ表示パネルを製造できた。
【実施例３】
【０１４８】
次いで、以下に、上記の実施の形態２の製造方法を用いて有機ＥＬ表示パネル１を製造した実施例について説明する。
【０１４９】
実施例２と同様に、マザー封止板４に孔６を開け（図７（ａ））、マザー基板３上に、端子部１６及び有機ＥＬ表示部３１を形成し（図７（ｂ））、さらに、前記有機ＥＬ表示部３１上に保護膜１１を形成した。
【０１５０】
次に、図７（ｂ）に示すように、マザー封止板４上に背面がフッ素コーティングされたテープからなるマスキングテープ１７を端子部１６を覆うように貼ることによって、端子部１６に接着層５が至ることを阻止するためのマスキングを行った。
【０１５１】
続いて、実施例２と同様に、マザー封止板４表面に紫外線硬化樹脂からなる接着層５を塗布した（図７（ｃ））。
【０１５２】
さらに、実施例２と同様に、前記マザー基板３と、前記接着層５が塗布されたマザー封止板４とを、大気圧下で貼り合せて、外力を加えてマザー基板３とマザー封止板４とを押圧することによって接着層５を両板間に広げた（図７（ｄ）、（ｅ））。
【０１５３】
接着層５を広げ、空間２２に存在する気体を孔６から排気する工程については、実施例２と同様である。
【０１５４】
さらに、紫外線硬化性樹脂からなる接着層５を所定の条件で硬化させることにより積層体１ａを形成した。
【０１５５】
続いて、図８（ａ）に示すように、マザー封止板４及びマザー基板３における分割部５１に、ダイヤモンドカッターで分割溝５２を設けた。さらに、マザー封止板４及びマザー基板３に応力を印加することにより、図８（ｂ）のように、有機ＥＬ表示パネル１と不要部６１に分割した。ここで、孔６は、積層体１ａを隣接する４つの有機ＥＬ表示部３１ごとに、それぞれの有機ＥＬ表示部３１を有する有機ＥＬ表示パネルに分割する分割部５１，５１の間の領域に設けたため、有機ＥＬ表示パネル１には孔６は存在しなかった。さらに、図８（ｃ）に示すように、有機ＥＬ表示パネル１に応力を印加して、不要部６２をマザー封止板４から分離し、さらに、マスキングテープ１７をはがすことによって、端子部１６を露出させて、有機ＥＬ表示パネルを完成させた。
【０１５６】
作製された有機ＥＬ表示パネル１を光学顕微鏡下で確認すると、有機ＥＬ表示パネル１全体において閉空間は見つからなかった。
【０１５７】
以上の通り、本発明を用いることによって、マザー基板とマザー封止板とを接着して積層体を作製する積層体作製工程においてマザー基板、マザー封止板及び接着層に囲まれた閉空間を形成させず、最終的に封止後のマザー基板とマザー封止板間を所望の間隔とすることができ、有機ＥＬ表示部上において接着層を均一に広げることにより、表示品位が高く、表示品位が高く、発光特性が良好で信頼性の向上した有機ＥＬ表示パネルを製造できた。
【０１５８】
（比較例１）
以下に、上記の実施例１の比較例について説明する。
【０１５９】
本比較例は、マザー封止板４に孔６を形成しなかったことを除いては実施例１と同様である。
【０１６０】
本比較例においては、実施例１と同様に接着層５を広げる工程において、図３（ｅ）において、領域２４は、接着層５に覆われていない有機ＥＬ表示部の領域である。本態様の場合、マザー封止板４に孔６を形成しなかったため、図３（ｅ）における空間２５は閉空間となった。
【０１６１】
このような場合、該閉空間の高さが、所望のマザー基板３とマザー封止板４の間の間隔を決める隔壁１４に含有されたギャップ材の径より高く、この高さがマザー基板３とマザー封止板４の間の間隔となるため、それ以上押圧しても、マザー基板３とマザー封止板４の間の間隔をそれ以上狭くすることができなかった。したがって、図３（ｅ）のような接着層５の広がり状態から、それ以上接着層５を広げることができず、有機ＥＬ表示部３１上の接着層５に覆われていない領域２４が残ったままとなった。
【０１６２】
本比較例においては、有機ＥＬ表示部（ア）及び有機ＥＬ表示部（イ）に対応する領域に塗布された接着層５の塗布量よりも、有機ＥＬ表示部（ウ）及び有機ＥＬ表示部（エ）に対応する領域に塗布された接着層５の塗布量の方が多いことに起因すると考えられる。塗布量の多い有機ＥＬ表示部に対応する領域から広がった余分な接着層５が、隣接する有機ＥＬ表示部とそれと電気的に接続された端子部との間の隔壁と接触したため、図３（ｅ）に示すような空間２５と対応する閉空間を形成したと考えられる。すなわち、接着層５の塗布量にむらがあり、塗布量の多い箇所から広がった接着層５が隔壁と接触したため、閉空間を形成したと考えられる。
【０１６３】
以上より、塗布量不足とならない所定量以上に接着層を塗布しても、接着層の塗布量にむらがある場合には、前記孔を設けないと、マザー基板とマザー封止板とを接着して積層体を作製する積層体作製工程において、塗布量の多い箇所から広がった接着層同士が接触する、あるいは、塗布量の多い箇所から広がった接着層が隔壁と接触することによって、マザー基板、マザー封止板及び接着層、あるいは、マザー基板、マザー封止板、接着層及び隔壁に囲まれた閉空間を形成することがわかる。
【０１６４】
本比較例の場合は、一組のマザー基板３及びマザー封止板４から４つの表示パネルを得る場合であるが、一組のマザー基板３及びマザー封止板４からもっと多数の表示パネルを得る場合には、塗布量が多い有機ＥＬ表示部３１が１箇所でもあれば、それに起因する閉空間が生じるため、塗布量が比較的多くない有機ＥＬ表示部３１に対応する有機ＥＬ表示パネルは全て、最終的に封止後のマザー基板とマザー封止板間を所望の間隔とすることができず、有機ＥＬ表示部において接着層を均一に広げることができない不良のパネルを大量に製造してしまう惧れがある。
【０１６５】
このように、本比較例では、表示品位が高い有機ＥＬ表示パネルを作製できなかった。
【０１６６】
（比較例２）
以下に、上記の実施例２の比較例について説明する。
【０１６７】
本比較例は、マザー封止板４に孔６を形成しなかったことを除いては実施例２と同様である。
【０１６８】
本比較例においては、実施例２と同様に接着層５を広げる工程において、孔６がないため、図５（ｄ）における開空間２２がマザー基板３、マザー封止板４及び接着層５に囲まれた閉空間となった。このような場合、該閉空間の高さがマザー基板３とマザー封止板４の間の間隔となるため、それ以上押圧しても、マザー基板３とマザー封止板４の間の間隔をそれ以上狭くすることができなかった。したがって、図５（ｄ）のような接着層５の広がり状態から、それ以上接着層５を広げることができず、この閉空間の他、有機ＥＬ表示部３１上に、図５（ｄ）における領域３２のような接着層５に覆われない領域が残ったままとなった。
【０１６９】
このように、本比較例では、表示品位が高い有機ＥＬ表示パネルを作製できなかった。
【０１７０】
（比較例３）
以下に、上記の実施例３の比較例について説明する。
【０１７１】
本比較例は、マザー封止板４に孔６を形成しなかったことを除いては実施例３と同様である。
【０１７２】
本比較例においては、実施例３と同様に接着層５を広げる工程において、孔６がないため、図７（ｄ）における開空間２２がマザー基板３、マザー封止板４及び接着層５に囲まれた閉空間となった。このような場合、該閉空間の高さがマザー基板３とマザー封止板４の間の間隔となるため、それ以上押圧しても、マザー基板３とマザー封止板４の間の間隔をそれ以上狭くすることができなかった。したがって、図７（ｄ）のような接着層５の広がり状態から、それ以上接着層５を広げることができず、この閉空間の他、有機ＥＬ表示部３１上に、図７（ｄ）における領域３２のような接着層５に覆われない領域が残ったままとなった。
【０１７３】
このように、本比較例では、表示品位が高い有機ＥＬ表示パネルを作製できなかった。
【０１７４】
以上の通り、本発明を用いることによって、マザー基板とマザー封止板とを接着して積層体を作製する積層体作製工程においてマザー基板、マザー封止板及び接着層に囲まれた閉空間を形成させず、最終的に封止後のマザー基板とマザー封止板間を所望の間隔に保持することができ、有機ＥＬ表示部において接着層を均一に広げることにより、表示品位が高く、発光特性が良好で信頼性の向上した有機ＥＬ表示パネルを、歩留まり良く製造できた。
【０１７５】
以上、本発明を実施の形態をもとに説明した。この実施の形態は例示であり、それらの各構成要素や各処理プロセスの組み合わせに様々な変形例が可能なこと、またそうした変形例も本発明の範囲にあることは当業者に理解されるところである。
【０１７６】
また、実施の形態では、有機ＥＬ素子２，２…の発光をマザー封止板４側から取り出すトップエミッションの構成について説明したが、有機ＥＬ素子２，２…の発光をマザー基板３側から取り出すボトムエミッションの構成にも本発明の技術を適用可能である。ボトムエミッションの構成に本発明の技術を適用した場合にも、上記の実施の形態の場合と同様の効果を得ることができる。
【図面の簡単な説明】
【０１７７】
【図１】実施の形態１に係る有機ＥＬ表示パネルの構成を示す模式的段面図である。
【図２】本発明に係る有機ＥＬ表示パネルの製造方法を示す模式的上面図である。
【図３】実施の形態１に係る有機ＥＬ表示パネルの製造方法を示す模式的上面図である。
【図４】実施の形態１に係る有機ＥＬ表示パネルの製造方法を示す模式的段面図である。
【図５】実施の形態２に係る有機ＥＬ表示パネルの製造方法を示す模式的上面図である。
【図６】実施の形態２に係る有機ＥＬ表示パネルの製造方法を示す模式的段面図である。
【図７】実施の形態３に係る有機ＥＬ表示パネルの製造方法を示す模式的上面図である。
【図８】実施の形態３に係る有機ＥＬ表示パネルの製造方法を示す模式的段面図である。
【図９】従来技術に係る有機ＥＬ表示パネルの製造方法を示す模式的上面図である。
【符号の説明】
【０１７８】
１  有機ＥＬ表示パネル
１ａ  積層体
２  有機ＥＬ素子
３  マザー基板
４  マザー封止板
５  接着層
６  孔
１４  隔壁
１６  端子部
３１  有機ＥＬ表示部
５１  分割部
【図１】
2006286412.tif 000003
【図２】
2006286412.tif 000004
【図３】
2006286412.tif 000005
【図４】
2006286412.tif 000006
【図５】
2006286412.tif 000007
【図６】
2006286412.tif 000008
【図７】
2006286412.tif 000009
【図８】
2006286412.tif 000010
【図９】
2006286412.tif 000011